(57)【要約】【課題】食器洗い機において、洗浄水が效果的にフィルタリングされるようにし、洗浄水の回収率を向上させ、洗浄水及び電力の消費が節減する。【解決手段】洗浄水が貯蔵されるサンプハウジングと、前記洗浄水をポンプする洗浄用ポンピング部と、前記ポンプされた洗浄水が流入する排水チャンバーと、前記排水チャンバーを経由した洗浄水が流入する汚物チャンバーと、前記ポンプされた洗浄水が前記排水チャンバーを経由して前記汚物チャンバーに提供されるように導くガイドアセンブリーと、前記汚物チャンバーからオーバーフローする洗浄水をフィルタリングし、前記サンプハウジングの上面を覆うサンプカバーと、を備える構成とした。【選択図】図２
2008513092.tif 000002
【特許請求の範囲】
【請求項１】
洗浄水が貯蔵されるサンプハウジングと、
前記洗浄水をポンプする洗浄用ポンピング部と、
前記ポンプされた洗浄水が流入する排水チャンバーと、
前記排水チャンバーを経由した洗浄水が流入する汚物チャンバーと、
前記ポンプされた洗浄水が、前記排水チャンバーを経由して前記汚物チャンバーに提供されるように導くガイドアセンブリーと、
前記汚物チャンバーからオーバーフローする洗浄水をフィルタリングし、前記サンプハウジングの上面を覆うサンプカバーと、
を備えて構成されることを特徴とする、食器洗い機。
【請求項２】
前記排水チャンバーは、前記サンプハウジングの底部一側に形成されることを特徴とする、請求項１に記載の食器洗い機。
【請求項３】
前記排水チャンバーには、洗浄水を排水する排水ポンプの入口側が連結されることを特徴とする、請求項２に記載の食器洗い機。
【請求項４】
前記ガイドアセンブリーは、
前記サンプハウジング内の上側に提供され、前記ポンプされた洗浄水の一部が前記排水チャンバーに流動するように導くサンプリング流路が形成され、前記サンプリング流路に提供されなかった洗浄水を、少なくとも一つの噴射アームに導く複数のメイン流路が形成された上部ハウジングと、
前記上部ハウジングの下側に提供され、前記汚物チャンバー及びインペラローディング部が形成された下部ハウジングと、
から構成されることを特徴とする、請求項１に記載の食器洗い機。
【請求項５】
前記汚物チャンバーと前記排水チャンバーとを連結する結合管がさらに備えられ、
前記上部ハウジングにおいて前記サンプリング流路の出口側には、下方に向かって第１ドレーン部が延在し、
前記下部ハウジングには、前記第１ドレーン部と対応する第２ドレーン部が、前記結合管に向かって延在することを特徴とする、請求項４に記載の食器洗い機。
【請求項６】
前記各メイン流路と前記サンプリング流路とが合流する部位には、前記各メイン流路の一部を選択的に開閉する切替バルブがさらに提供されることを特徴とする、請求項４に記載の食器洗い機。
【請求項７】
前記サンプカバーの内側部において前記汚物チャンバーの位置と対応する部位には複数の連通穴が形成され、
前記各連通穴にはフィルター部材が提供され、
前記サンプカバーの縁部側には複数の回収穴が形成されることを特徴とする、請求項１に記載の食器洗い機。
【請求項８】
前記各回収穴は、前記サンプハウジングの内部と連通し、
前記各連通穴は、前記汚物チャンバーと連通し、
前記サンプハウジングの内部と前記汚物チャンバーの内部は互いに区画されることを特徴とする、請求項７に記載の食器洗い機。
【請求項９】
前記サンプカバーは、縁部側に行くほど下方に傾斜するように形成されることを特徴とする、請求項７に記載の食器洗い機。
【請求項１０】
前記フィルター部材は、
複数の網目が形成された第１フィルター及び第２フィルターで構成され、
前記第２フィルターの網目は、前記第１フィルターの網目に比べてその大きさが相対的に大きく形成されることを特徴とする、請求項７に記載の食器洗い機。
【請求項１１】
前記第１フィルターと前記第２フィルターは互いに一体に形成されることを特徴とする、請求項１０に記載の食器洗い機。
【請求項１２】
前記サンプカバーの内側部には、前記フィルター部材の上面と下面のうち少なくともいずれか一側を支持するフィルター支持部がさらに提供されることを特徴とする、請求項７に記載の食器洗い機。
【請求項１３】
前記フィルター支持部は、前記フィルター部材を支持し、等間隔で配置される複数の支持リブを備えてなることを特徴とする、請求項１２に記載の食器洗い機。
【請求項１４】
前記フィルター支持部は、
前記フィルター部材の下面を支持する少なくとも一つの下部支持リブと、
前記フィルター部材の上面を支持する少なくとも一つの上部支持リブと、を備えてなることを特徴とする、請求項１２に記載の食器洗い機。
【請求項１５】
前記各上部支持リブと前記各下部支持リブは、相対向して配置されることを特徴とする、請求項１４に記載の食器洗い機。
【請求項１６】
前記サンプカバーの底面には、
前記各回収穴が形成された部位と前記各連通穴が形成された部位間を遮る漏水防止部がさらに提供されることを特徴とする、請求項７に記載の食器洗い機。
【請求項１７】
前記ガイドアセンブリーは、上部ハウジングと、前記上部ハウジングの下側に提供され、前記汚物チャンバー及びインペラローディング部が形成された下部ハウジングと、をなえて構成され、
前記洗浄用ポンピング部は、前記サンプハウジングの底部に結合される洗浄モーターと、前記洗浄モーターと軸結合されて前記インペラローディング部に装着されるインペラと、を備えて構成されることを特徴とする、請求項１に記載の食器洗い機。
【請求項１８】
洗浄モーターの軸上には、前記下部ハウジングに流動する洗浄水中の異物をろ過するスクリーンがさらに提供されることを特徴とする、請求項１７に記載の食器洗い機。
【請求項１９】
前記スクリーンは、前記洗浄モーターの軸が貫通する貫通穴と、前記洗浄水が通過する複数の流出穴とが形成された板で構成されることを特徴とする、請求項１８に記載の食器洗い機。
【請求項２０】
前記スクリーンは、前記サンプハウジング内の底面にフックにて結合されることを特徴とする、請求項１８に記載の食器洗い機。
【請求項２１】
前記洗浄モーターの軸上には、前記下部ハウジングに流動する洗浄水中の異物を粉砕するディスポーザーがさらに提供されることを特徴とする、請求項１８に記載の食器洗い機。
【請求項２２】
前記ディスポーザーは、多角形で形成されることを特徴とする、請求項２１に記載の食器洗い機。
【請求項２３】
前記排水チャンバーには、前記サンプハウジングと連通する排水穴が形成され、
前記排水穴には、この排水穴を選択的に開くバルブ部が提供されることを特徴とする、請求項１に記載の食器洗い機。
【請求項２４】
前記バルブ部は、前記排水チャンバー内を流動する洗浄水の圧力によって、前記排水チャンバーを前記サンプハウジングと連通させる、または、前記排水チャンバーを前記サンプハウジングから隔離させるように構成されることを特徴とする、請求項２３に記載の食器洗い機。
【請求項２５】
前記バルブ部は、チェックバルブで構成されることを特徴とする、請求項２３に記載の食器洗い機。
【請求項２６】
前記バルブ部は、
前記排水穴を開放または閉鎖するバルブボディーと、
前記バルブボディーを前記排水チャンバーに固定させる固定部と、
から構成されることを特徴とする、請求項２３に記載の食器洗い機。
【請求項２７】
前記バルブボディーには、前記排水穴内に挿入されて前記排水穴と結合される突出部が形成されることを特徴とする、請求項２６に記載の食器洗い機。
【請求項２８】
前記バルブ部は、弾性材質からなることを特徴とする、請求項２３に記載の食器洗い機。
【請求項２９】
前記汚物チャンバーの底面は、前記排水チャンバーと連通している部位に向かって下方に傾斜するように形成されることを特徴とする、請求項１に記載の食器洗い機。
【請求項３０】
洗浄水が貯蔵されるサンプハウジングと、
前記洗浄水をポンプする洗浄用ポンピング部と、
前記ポンプされた洗浄水が流入する排水チャンバーと、
前記排水チャンバーの上側に提供され、前記排水チャンバーを経由した洗浄水が流入する汚物チャンバーと、
前記汚物チャンバーの上部を覆い、前記汚物チャンバーからオーバーフローする洗浄水をフィルタリングするサンプカバーと、
を備えて構成されることを特徴とする、食器洗い機。
【請求項３１】
洗浄水が貯蔵されるサンプハウジングと、
前記サンプハウジング内の洗浄水が排出される複数の連通穴が形成され、前記排出された洗浄水が前記サンプハウジング内に回収されるように複数の回収穴が形成され、前記サンプハウジングの上面を覆うように設けられたサンプカバーと、
を備えてなる、食器洗い機。
【請求項３２】
前記各連通穴は、前記サンプカバーの内側部に形成され、
前記各回収穴は、前記サンプカバーの外側部に形成されることを特徴とする、請求項３１に記載の食器洗い機。
【請求項３３】
前記サンプカバーの上面は、前記各連通穴が形成された部位から前記各回収穴が形成された部位へ行くほど下方に傾斜するように形成されることを特徴とする、請求項３２に記載の食器洗い機。
【請求項３４】
前記各連通穴には、フィルター部材がさらに提供されることを特徴とする、請求項３２に記載の食器洗い機。
【請求項３５】
前記フィルター部材は、
複数の網目が形成された第１フィルター及び第２フィルターで構成され、
前記第２フィルターの網目は、前記第１フィルターの網目に比べてその大きさが相対的に大きく形成されることを特徴とする、請求項３４に記載の食器洗い機。
【請求項３６】
前記第１フィルターと前記第２フィルターは、互いに一体に形成されることを特徴とする、請求項３５に記載の食器洗い機。
【請求項３７】
前記サンプカバーの内側部には、前記フィルター部材の上面と下面のうち少なくともいずれか一面を支持するフィルター支持部がさらに提供されることを特徴とする、請求項３４に記載の食器洗い機。
【請求項３８】
洗浄水が貯蔵されるサンプハウジングと、
前記洗浄水をポンプする洗浄モーター及びインペラを含む洗浄用ポンピング部と、
前記ポンプされた洗浄水が流入する排水チャンバーと、
前記排水チャンバーの上側に提供され、前記排水チャンバーを経由した洗浄水が流入する汚物チャンバーと、
前記洗浄モーターの軸上に提供され、該当する部位を経由する洗浄水中の異物をろ過するスクリーンと、
を備えて構成されることを特徴とする、食器洗い機。
【請求項３９】
前記スクリーンは、前記洗浄モーターの軸が貫通する貫通穴と、前記洗浄水が通過する複数の流出穴とが形成された板で構成されることを特徴とする、請求項３８に記載の食器洗い機。
【請求項４０】
前記スクリーンは、前記サンプハウジング内の底面にフックにて結合されることを特徴とする、請求項３８に記載の食器洗い機。
【請求項４１】
前記洗浄モーターの軸上には、流動する洗浄水中の異物を粉砕するディスポーザーがさらに提供されることを特徴とする、請求項３８に記載の食器洗い機。
【請求項４２】
前記ディスポーザーは、多角形で形成されることを特徴とする、請求項４１に記載の食器洗い機。
【請求項４３】
洗浄水が貯蔵されるサンプハウジングと、
前記洗浄水をポンプする洗浄用ポンピング部と、
前記ポンプされた洗浄水が流入し、その内壁面には前記サンプハウジングと連通する排水穴が形成された排水チャンバーと、
前記排水チャンバー内に提供され、前記排水穴を選択的に開放するバルブ部と、
を備えて構成されることを特徴とする、食器洗い機。
【請求項４４】
前記バルブ部は、排水チャンバー内を流動する洗浄水の圧力によって、前記排水チャンバーを前記サンプハウジングと連通させる、または、前記排水チャンバーを前記サンプハウジングから隔離させるように構成されることを特徴とする、請求項４３に記載の食器洗い機。
【請求項４５】
前記バルブ部は、チェックバルブで構成されることを特徴とする、請求項４３に記載の食器洗い機。
【請求項４６】
前記バルブ部は、
前記排水穴を開放または閉鎖するバルブボディーと、
前記バルブボディーを前記排水チャンバーに固定させる固定部と、
から構成されることを特徴とする、請求項４３に記載の食器洗い機。
【請求項４７】
前記バルブボディーには、前記排水穴内に挿入されて前記排水穴に結合される突出部が形成されることを特徴とする、請求項４６に記載の食器洗い機。
【請求項４８】
前記バルブ部は、弾性材質からなることを特徴とする、請求項４４に記載の食器洗い機。
【請求項４９】
本体と、
前記本体内に備えられ、食器が洗浄されるタブと、
前記タブの底部側に備えられ、洗浄水が貯蔵されるサンプハウジングと、
前記タブの底面を構成すると同時に、前記サンプハウジングの上面を覆うように形成され、前記サンプハウジング内部から排出される洗浄水中の異物をろ過し、この異物のろ過された洗浄水が再び前記サンプハウジング内に提供されるように形成されたサンプカバーと、
を備えてなる、食器洗い機。
【発明の詳細な説明】
【技術分野】
【０００１】
本発明は、食器洗い機に関し、より詳細には、洗浄水を效果的にフィルタリングし且つ洗浄水の回収率を向上させることによって、洗浄水及び電力の消費を節減させた食器洗い機に関する。
【背景技術】
【０００２】
食器洗い機は、洗剤と洗浄水を食器に噴射して自動で食器を洗う機器のことをいう。
【０００３】
かかる食器洗い機は、基本的に、タブ内に提供され、食器が載せられる少なくとも一つのラックと、洗浄水を貯蔵するサンプ(sump)と、ラック中の食器に向かって洗浄水を噴射する少なくとも一つの噴射装置と、を備えて構成される。
【０００４】
このような通常の食器洗い機において、洗浄水はサンプから噴射装置にポンプされ、該ポンプされた洗浄水は、洗浄水管に沿って移動した後、噴射アームから食器に噴射される。
【０００５】
また、食器を洗浄を終えた洗浄水は、前記サンプに回収されてから食器に噴射されるように再び噴射装置に供給される。
【発明の開示】
【発明が解決しようとする課題】
【０００６】
しかしながら、上記のように洗浄水を繰り返し使用すると、その洗浄水中の異物の量が漸次増加してしまう。
これにより、洗浄性能が低下する他、サンプ内のフィルターが異物で詰まる可能性が高くなり、さらにはフィルターが詰まると、フィルターに過度な圧力が加えられフィルターに歪みが生じるという問題につながる。
【０００７】
本発明は上記の問題点を解決するためのもので、その目的は、洗浄水を円滑にリサイクルでき、循環される洗浄水から異物を円滑に除去することによって、洗浄水の回収効率が向上できるようにした新しい構造の食器洗い機を提供することにある。
【課題を解決するための手段】
【０００８】
上記目的を達成するための本発明の第1形態は、洗浄水が貯蔵されるサンプハウジングと、前記洗浄水をポンプする洗浄用ポンピング部と、前記ポンプされた洗浄水が流入する排水チャンバーと、前記ポンプされた洗浄水が前記排水チャンバーに提供されるように導くサンプリング流路と、前記排水チャンバーを経由した洗浄水が流入する汚物チャンバーと、前記汚物チャンバーからオーバーフローする洗浄水をフィルタリングし、前記サンプハウジングの上面を覆うサンプカバーとを備えて構成されをことを特徴とする食器洗い機を提供する。
【０００９】
ここで、前記食器洗い機には、前記サンプハウジング内の上側に提供され、前記サンプリング流路が形成され、前記サンプリング流路に提供されなかった洗浄水を、少なくとも一つの噴射アームに導く複数のメイン流路が形成された上部ハウジングと、前記上部ハウジングの下側に提供され、前記汚物チャンバー及びインペラローディング部が形成された下部ハウジングと、をさらに備えることが好ましい。
【００１０】
ここで、前記汚物チャンバーと前記排水チャンバーとを連結する結合管がさらに備えられ、前記サンプリング流路の一端は前記結合管に挿入され、前記サンプリング流路の他端は前記インペラローディング部の吐出側に連結され、前記結合管の内周面と前記サンプリング流路一端の外周面との間には連結流路が形成される。
【００１１】
上記目的を達成するための本発明の第２形態は、洗浄水が貯蔵されるサンプハウジングと、前記サンプハウジング内の洗浄水が排出される複数の連通穴が形成され、前記排出された洗浄水が前記サンプハウジング内に回収されるように複数の回収穴が形成され、前記サンプハウジングの上面を覆うように形成されたサンプカバーと、を備えてなる食器洗い機を提供する。
【００１２】
ここで、前記各連通穴は、前記サンプカバーの内側部に形成され、前記各回収穴は、前記サンプカバーの外側部に形成される。
【００１３】
この場合、前記サンプカバーの上面は、前記各連通穴の形成された部位から前記各回収穴の形成された部位へ行くほど下方に傾斜するように形成され、前記各連通穴にはフィルター部材がさらに提供されることが好ましい。前記フィルター部材は、複数の網目が形成された第1フィルター及び第２フィルターとで構成され、前記第２フィルターの網目は、前記第１フィルターの網目に比べてその大きさが相対的に大きく形成される。
【００１４】
上記目的を達成するための本発明の第３形態は、洗浄水が貯蔵されるサンプハウジングと、前記洗浄水をポンプする洗浄モーター及びインペラを含む洗浄用ポンピング部と、前記ポンプされた洗浄水が流入する排水チャンバーと、前記排水チャンバーの上側に提供され、前記排水チャンバーを経由した洗浄水が流入する汚物チャンバーと、前記洗浄モーターの軸上に提供され、該当部位を経由する洗浄水中の異物をろ過するスクリーンと、を備えて構成されたことを特徴とする食器洗い機を提供する。
【００１５】
ここで、前記スクリーンは、前記洗浄モーターの軸が貫通する貫通穴と、前記洗浄水が通過する複数の流出穴とが形成された板で構成され、前記スクリーンは、前記サンプハウジング内の底面にフックにて結合されることが好ましい。
【００１６】
上記目的を達成するための本発明の第４形態は、洗浄水が貯蔵されるサンプハウジングと、前記洗浄水をポンプする洗浄用ポンピング部と、前記ポンプされた洗浄水が流入し、その内壁面には前記サンプハウジングと連通する排水穴が形成された排水チャンバーと、前記排水チャンバー内に提供され、前記排水穴を選択的に開放するバルブ部と、を備えて構成されることを特徴とする食器洗い機を提供する。
【００１７】
ここで、前記バルブ部は、排水チャンバー内を流動する洗浄水の圧力によって、前記排水チャンバーを前記サンプハウジングと連通させる、または、前記排水チャンバーを前記サンプハウジングから隔離させるように構成されることが好ましい。
【００１８】
この場合、前記バルブ部は、前記排水穴を開放または閉鎖するバルブボディー、及び前記バルブボディーを前記排水チャンバーに固定させる固定部で老構成されることを特徴とする。前記バルブボディーには、前記排水穴内に挿入されて前記排水穴に結合される突出部が形成されることが好ましい。
【発明の効果】
【００１９】
本発明の各形態による食器洗い機は、反復的な洗浄水の使用にもかかわらず、洗浄水から異物の分離が円滑になされるという効果が得られる。
これにより、洗浄水の無駄使いが低減でき、リサイクルが可能になる。
【００２０】
なお、本発明の各形態による食器洗い機は、洗浄性能が向上され、サンプカバーのフィルター部材が異物で詰まる可能性が低い。
【００２１】
また、本発明の各形態による食器洗い機は、相対的に小さい大きさの異物だけが汚物チャンバーに提供されるため、汚物チャンバー内の水圧上昇が防止され、フィルター部材の歪みが防止される。
【発明を実施するための最良の形態】
【００２２】
以下、本発明の好適な実施例を、図面に基づいて詳細に説明する。
【００２３】
まず、本発明の第１実施例は、洗浄水の循環及びこの循環過程において洗浄水から異物が除去されるようにした一連の流路構造に特徴がある。
すなわち、本発明の第１実施例による食器洗い機は、ポンプされた洗浄水の一部が排水チャンバーを経由して汚物チャンバーに提供され、該洗浄水中の異物がフィルタリングされるようにしたものである。
【００２４】
これについて詳細に説明すると、下記の通りである。
添付の図１は、本発明の第１実施例による食器洗い機を示す概略的な構成図である。
すなわち、本発明の第１実施例による食器洗い機は、大きく、本体１０と、タブ２０と、上／下部噴射アーム４１，４２と、上／下部ラック３１，３２と、サンプアセンブリー５０と、で構成される。
【００２５】
本体１０は、食器洗い機の外観を形成する。
【００２６】
タブ２０は、本体１０の内部に備えられ、食器が洗浄される洗浄空間を形成する。
【００２７】
上部噴射アーム４１及び下部噴射アーム４２は、上／下部ラック３１，３２に載せられた食器に洗浄水を噴射するように構成される。ここで、上部噴射アーム４１は、タブ２０内の上側空間に提供され、下部噴射アーム４２は、タブ２０内の下側空間に提供される。
【００２８】
上部ラック３１及び下部ラック３２には食器が載せられる。ここで、上部ラック３１は、タブ２０内の上側空間において上部噴射アーム４１の上側に提供され、下部ラック３２は、タブ２０内の下側空間において下部噴射アーム４２の上側に提供される。
【００２９】
サンプアセンブリー５０は、給水管７０を通じて外部から洗浄水を受けて内部に貯蔵し、この洗浄水を、第１連結管６１及び第２連結管６５を通じて噴射アーム４１，４２に選択的にまたは同時にそれぞれ供給するように構成される。
【００３０】
図２に、上記のサンプアセンブリーの詳細構造を示す。
以下、図２を参照してサンプアセンブリー５０についてより詳細に説明する。
【００３１】
サンプアセンブリー５０は、大きく、洗浄水を貯蔵するサンプハウジング１００と、サンプハウジング１００に貯蔵された洗浄水をポンプする洗浄用ポンピング部２００と、ポンプされた洗浄水の一部が提供される排水チャンバー３００と、排水チャンバー３００を経由した洗浄水が流入する汚物チャンバー４２１と、ポンプされた洗浄水が排水チャンバー３００を経由して汚物チャンバー４２１に提供されるように導くガイドアセンブリー４００と、汚物チャンバー４２１からオーバーフローする洗浄水をフィルタリングするサンプカバー５００と、を備えて構成される。
【００３２】
まず、サンプアセンブリーのサンプハウジング１００について説明する。
サンプハウジング１００は、タブ２０の底部に提供され、底の中央には洗浄水を貯蔵するための凹部１１０が形成され、凹部１１０の一側には、給水管７０が連結される給水穴１１１が形成される。
【００３３】
次に、サンプアセンブリーの洗浄用ポンピング部２００について説明する。
洗浄用ポンピング部２００は、サンプハウジング１００の底部に結合される洗浄モーター２１０と、洗浄モーター２１０の軸２１１に結合されたインペラ２２０と、を備えて構成される。
【００３４】
ここで、図２のように、洗浄モーター２１０の軸２１１は、凹部１１０の底面に形成された穴１１２を貫通するように設置される。洗浄モーター２１０の軸２１１には、ディスポーザー（disposer）２３０がさらに装着され、ディスポーザー２３０は、洗浄モーター２１０の作動時に回転しつつ凹部１１０内の洗浄水中の異物を粉砕する。
【００３５】
また、インペラ２２０は、軸方向に洗浄水を吸入し、半径方向に吐出する構造を持つ。このため、インペラ２２０は、互いに隔たって配置された上板２２１と下板２２２、及び上板２２１と下板２２２との間に備えられた複数のブレード（blade）２２３と、を備えて構成される。
【００３６】
上板２２１は塞がっており、下板２２２の中央には、洗浄水が流入するように流入口（図示せず）が形成される。上板２２１の中央にはハブ（hub）（図示せず）が形成され、該ハブの下端には、洗浄モーター２１０の軸２１１がはめ込まれる。各ブレード２２３は、曲面状に形成され、各ブレード２２３同士間からは、流入口を通じてインペラ２２０内に流入した洗浄水が流出される。
【００３７】
次に、サンプアセンブリーの排水チャンバー３００について説明する。
図２に示すように、排水チャンバー３００は、サンプハウジング１００の底部一側に形成される。排水チャンバー３００とサンプハウジング１００の凹部１１０は隣り合って配置される。
【００３８】
また、排水チャンバー３００の側部であるサンプハウジング１００の側面には、排水ポンプ６００が装着される。排水ポンプ６００は、凹部１１０と排水チャンバー３００中の洗浄水を外部に排出させるように構成される。
【００３９】
排水ポンプ６００は、インペラハウジング６１０と、排水モーター６２０と、インペラ６３０とを備えてなる。インペラハウジング６１０は、サンプハウジング１００と一体に形成されることができる。インペラハウジング６１０の側面には、排水ホース８０が連結されるニップル（nipple）６４０が形成される。排水モーター６２０には、インペラ６３０が軸結合され、排水モーター６２０は、インペラハウジング６１０に結合される。
【００４０】
次に、サンプアセンブリーの汚物チャンバー４２１について説明する。
汚物チャンバー４２１は、排水チャンバー３００を経由した洗浄水が流入し、この洗浄水からろ過された異物が貯蔵される所である。
【００４１】
ここで、汚物チャンバー４２１の底面は、排水チャンバー３００と連通する部位に行くほど漸次下方に傾斜するように形成されることが好ましい。これは、排水行程時に、汚物チャンバー４２１中に貯蔵された異物が、排水チャンバー３００を経由して排水ポンプ６００から円滑に排出されるようにするためである。
【００４２】
次に、サンプアセンブリーのガイドアセンブリー４００について説明する。
ガイドアセンブリー４００は、洗浄用ポンピング部２００によってポンプされた洗浄水が、排水チャンバー３００を経由して汚物チャンバー４２１に提供されるように導く機能を担うもので、上部ハウジング４１０と下部ハウジング４２０とを備えてなる。
【００４３】
図２に示すように、上部ハウジング４１０は、サンプハウジング１００内の上側空間に提供され、下部ハウジング４２０は、上部ハウジング１００の下側に提供される。
ここで、上部ハウジング４１０の上面には、サンプリング流路４１１及びメイン流路４１２，４１３がそれぞれ形成される。
【００４４】
サンプリング流路４１１は、洗浄用ポンピング部２００によってポンプされた洗浄水が、排水チャンバー３００に提供されるように導く流路である。
【００４５】
メイン流路４１２，４１３は、サンプリング流路４１１に提供されなかった洗浄水を、上部噴射アーム４１または下部噴射アーム４２、あるいは、上部噴射アーム４１と下部噴射アーム４２の両方に提供されるように導く流路である。
【００４６】
また、上部ハウジング４１０の底面には、インペラ２２０の上端一部が装着される上端収容部４１４と、インペラ２２０からポンプされた洗浄水を導く上部洗浄水流路４１５と、上部洗浄水流路４１５からポンプされた洗浄水を、上部ハウジング４１０の上部外側に導く流出口４１６が形成される。ここで、流出口４１６は、サンプリング流路４１１及びメイン流路４１２、４１３と連通する。
【００４７】
上部洗浄水流路４１５は、上端収容部４１４を囲むように形成され、流出口４１６は、上部洗浄水流路４１５の末端に形成される。
【００４８】
さらに、上部ハウジング４１０の上面には、流出口４１６と連通するバルブ収容部４１７が形成される。
【００４９】
メイン流路４１２，４１３は、下部噴射アーム４２に洗浄水を導くための第１メイン流路４１２と、上部噴射アーム４１に洗浄水を導くための第２メイン流路４１３として構成される。第１メイン流路４１２は、バルブ収容部４１７から上部ハウジング４１０の中央に至って形成され、第２メイン流路４１３は、バルブ収容部４１７から上部ハウジング４１０の端部に至って形成される。ここで、サンプカバー５００の各部位のうち、第１メイン流路４１２の末端が位置する部位には、第２連結管６５と結合される第１結合部５０１が提供され、第２メイン流路４１３の末端が位置する部位には、第１連結管６１と結合される第２結合部５０２が提供される。
【００５０】
また、バルブ収容部４１７は、各メイン流路４１２，４１３とサンプリング流路４１１が合流する箇所に形成される。
【００５１】
バルブ収容部４１７には、流出口４１６から流入した洗浄水の一部を、第１メイン流路４１２または、第２メイン流路４１３に選択的にあるいは同時に導くための切替バルブ４３０が装着される。
【００５２】
切替バルブ４３０は、基本的に、流出口４１６及びサンプリング流路４１１と常に連通し、第１メイン流路４１２及び第２メイン流路４１３を選択的に閉じるリブ４３１を有する。
【００５３】
ここで、切替バルブ４３０の下端は、図２に示すように、サンプハウジング１００に装着され、ガイドアセンブリー４００がサンプハウジング１００に装着された時、バルブ収容部４１７に位置するように構成される。このため、下部ハウジング４２０には、バルブ収容部４１７に相応し、また、切替バルブ４３０が貫通する装着穴４２２が形成される。サンプハウジング１００の下には、切替バルブ４３０を作動させる作動機構４３２が提供される。作動機構４３２は、図２に示すように、少なくとも切替バルブ４３０の回転角度を正確に制御できるステップモーターで構成される。
【００５４】
また、下部ハウジング４２０は、上部ハウジング４１０の底面に結合され、その上面にはインペラローディング部４４０と汚物チャンバー４２１が形成される。
【００５５】
インペラローディング部４４０は、下部ハウジング４２０の上面中央側部に形成され、汚物チャンバー４２１は、下部ハウジング４２０の上面周り部側に形成される。汚物チャンバー４２１とインペラローディング部４４０はそれぞれ個別に形成される。
【００５６】
ここで、汚物チャンバー４２１の上側は開放され、インペラローディング部４４０の上側は上部ハウジング４１０によって閉鎖される。
【００５７】
インペラローディング部４４０は、インペラ２２０を囲んで形成され、インペラ２２０によって流動する洗浄水を導く。このインペラローディング部４４０は、個別に形成されるよりは、下部ハウジング４２０と一体に形成されることが好ましい。
【００５８】
インペラローディング部４４０の上面には、凹部１１０に貯蔵された水が流入する流入口４４１と、インペラ２２０の下端一部が収容される下端収容部４４２と、上部洗浄水流路４１５と対応し、インペラ２２０によってポンプされた洗浄水を導く下部洗浄水流路４４３と、が形成される。
【００５９】
ここで、下端収容部４４２は、流入口４４１を囲んで形成され、流入口４４１は、下端収容部４４２に着座したインペラ２２０の流入口２２４と連通する。また、下部洗浄水流路４４３は、下端収容部４４２を囲んで形成される。
【００６０】
次に、排水チャンバー３００と汚物チャンバー４２１との連結構造、及びサンプリング流路４１１と排水チャンバー３００との連結構造についてより詳細に説明する。
【００６１】
まず、図２に示すように、下部ハウジングにおいて排水チャンバー３００と対応する部位には、汚物チャンバー４２１と排水チャンバー３００とを連結する結合管４５１が形成され、結合管４５１の下端は、排水チャンバー３００に結合される。これと関連して、図３は、上部ハウジング４１０及び下部ハウジング４２０がサンプハウジング１００に結合された状態を示す図で、図４は、結合管４５１と排水チャンバー３００との結合構造をより具体的に示す図である。
【００６２】
また、図２に示すように、上部ハウジング４１０においてサンプリング流路４１１の出口側には、下方に向かって第１ドレーン部４５２が延在する。ここで、下部ハウジング４２０には、第１ドレーン部４５２と対応する第２ドレーン部４５３が、結合管４５１に向かって延在する。
【００６３】
図３及び図４に示すように、第２ドレーン部４５３は、結合管４５１の上端一部と連通し、結合管４５１の上端の残りの一部は、汚物チャンバー４２１と連通する。
【００６４】
したがって、サンプリング流路４１１から提供される洗浄水は、第１ドレーン部４５２、第２ドレーン部４５３及び結合管４５１を順次通過して排水チャンバー３００内に 提供され、この洗浄水は引き続き、排水チャンバー３００を経由して再び結合管４５１を通じて汚物チャンバー４２１内に提供される。
【００６５】
上記のような各ドレーン部４５２，４５３及び結合管４５１の構造は、添付の図５のようにサンプハウジング１００と汚物チャンバー４２１が分離して配置された構造にも適用可能であり、添付の図６のようにサンプハウジング１００内に汚物チャンバー４２１が形成される場合にも適用可能である。
【００６６】
次に、サンプアセンブリーのサンプカバー５００について説明する。
サンプカバー５００は、汚物チャンバー４２１からオーバーフローする洗浄水をフィルタリングするように構成される。
【００６７】
図２に示すように、サンプカバー５００は、サンプハウジング１００の上面を覆うように形成され、実質的には食器洗い機を構成するタブ２０の底面を形成する。
【００６８】
ここで、サンプカバー５００の内側部には、複数の連通穴５１０が形成され、サンプカバー５００の周縁部側には複数の回収穴５２０が形成される。各連通穴５１０には、フィルター部材５３０がそれぞれ提供される。
【００６９】
各連通穴５１０は、汚物チャンバー４２１と連通し、各回収穴５２０は、サンプハウジング１００の内部と連通する。サンプハウジング１００の内部と汚物チャンバー４２１の内部は、上にも説明したように互いに区画される。
【００７０】
一方、未説明符号１１３はヒーターで、洗浄水を選択的に加熱する役割を担う。
【００７１】
以下、前述した本発明の第１実施例による食器洗い機の作動について説明する。
まず、食器の洗浄やすすぎのための操作が発生すると、給水管７０の連結されたサンプハウジング１００の給水穴１１１を通じて洗浄水が凹部１１０に給水される。この時、洗浄水は必要によってヒーター１１３によって加熱される。
【００７２】
このような過程によって給水が完了すると、洗浄モーター２１０が作動し、インペラ２２０が回転する。これによって、凹部１１０内に給水された洗浄水は、上部ハウジング４１０に形成された流出口４１６にポンプされる。すなわち、洗浄水は、インペラ２２０の軸方向に沿ってポンプされ、このポンプされた洗浄水は、インペラ２２０の半径方向に沿って吐き出されながら下部洗浄水流路に沿って移動し、流出口４１６に流動する。この時、洗浄水は、ポンプされながら洗浄モーター２１０の軸２１１に結合されたディスポーザー２３０によって粉砕される。
【００７３】
続いて、ポンプされた洗浄水は、流出口４１６と連通するバルブ収容部４１７に流入し、一部はサンプリング流路４１１に提供され、残りの一部は各メイン流路４１２，４１３に提供される。
【００７４】
この時、バルブ収容部４１７内の切替バルブ４３０は、洗浄水が各メイン流路４１２，４１３のうち少なくともいずれか一つのメイン流路４１２，４１３に導かれるように動作する。
【００７５】
例えば、下部噴射アーム４２にのみ洗浄水が供給される場合には、切替バルブ４３０のリブ４３１が第２メイン流路４１３を閉鎖するように動作し、上部噴射アーム４１にのみ洗浄水が供給される場合には、切替バルブ４３０のリブ４３１が第１メイン流路４１２を閉鎖するように動作し、図７のように上部噴射アーム４１及び下部噴射アーム４２の両方にも洗浄水が供給される時には、切替バルブ４３０のリブ４３１が各メイン流路４１２，４１３の両方を開放するように動作する。
【００７６】
したがって、上部噴射アーム４１及び／あるいは下部噴射アーム４２に供給された洗浄水は、タブ２０内の上部ラック３１及び／あるいは下部ラック３２に噴射され、上部ラック３１及び／あるいは下部ラック３２に載せられた食器を洗浄するようになる。
【００７７】
一方、ポンプされた洗浄水のうちサンプリング流路４１１に提供される一部の洗浄水は、第１ドレーン部４５２、第２ドレーン部４５３及び結合管４５１を順次通過して排水チャンバー３００内に提供され、この洗浄水は引き続き、排水チャンバー３００を経由した後再び結合管４５１を通じて汚物チャンバー４２１内に提供される。
【００７８】
この時、洗浄水中の異物のうち相対的に比重の大きい異物は、排水チャンバー３００内に残され、相対的に比重の小さい異物は、洗浄水と一緒に汚物チャンバー４２１内に提供される。
【００７９】
そして、汚物チャンバー４２１内に提供された洗浄水は、汚物チャンバー４２１内の水位が漸次高まるにつれ、サンプカバー５００の各連通穴５１０を通過してタブ２０内にオーバーフローする。
【００８０】
この時、洗浄水は、各連通穴５１０を通過する過程で、各連通穴５１０に備えられたフィルター部材５３０によって異物がろ過され、ろ過された異物は汚物チャンバー４２１内に残留する。
【００８１】
したがって、純粋な洗浄水のみがタブ２０の内部にオーバーフローし、オーバーフローした洗浄水は、食器を洗浄したのち食器から落ちた異物と一緒にサンプカバー５００の周縁部側に形成された各回収穴５２０を通じてサンプハウジング１００の内部に流入し、凹部１１０内に再び貯留する。
【００８２】
以降、前述した一連の過程が繰返され、洗浄水中の異物は汚物チャンバー４２１内に続けて積もることになる。
【００８３】
以上の説明の如く、ポンプされた洗浄水の一定量はサンプリング流路４１１を経由して排水チャンバー３００、汚物チャンバー４２１及びフィルター部材５３０によって段階的に浄化され、サンプハウジング１００に再び供給される。
【００８４】
ここで、排水チャンバー３００、汚物チャンバー４２１及びフィルター部材５３０は少量の洗浄水のみをろ過しているように見えるが、洗浄またはすすぎ過程の全体にかけて洗浄水を継続してろ過するので、優れた洗浄水ろ過性能を発揮しているのである。
【００８５】
一方、洗浄またはすすぎ過程が完了する、または、洗浄水が汚染されすぎている場合、排水ポンプ６００が動作する。
【００８６】
この場合、汚物チャンバー４２１、排水チャンバー３００、そしてサンプハウジング１００の凹部１１０に貯留している洗浄水及び汚染物は、排水ポンプ６００の動作によるポンピング力によって排水ホース８０から食器洗い機の外部に排出される。
【００８７】
一方、図８乃至図１１は、本発明の第２実施例による食器洗い機のサンプアセンブリーを示す図である。
【００８８】
図８及び図９に示すように、本発明の第２実施例による食器洗い機のサンプアセンブリーは、改善されたサンプカバー５００の構造が提供される。
【００８９】
ここで、サンプカバー５００は、洗浄水の回収効率をより向上させ、異物の分離によるフィルター部材５３０の歪みを防止できるように改善したものである。
【００９０】
これを、添付の図面を参照しつつより具体的に説明する。
まず、本発明の第２実施例による食器洗い機のサンプカバー５００は、図９に示すように、略中央部側から縁部側に行くほど下方に傾斜するように形成される。
【００９１】
すなわち、本実施例のサンプカバー５００は、各連通穴５１０の形成された部位から各回収穴５２０の形成された部位へ行くほど漸次下方に傾斜するように形成されている。
【００９２】
このような一連の構造にすると、汚物チャンバー４２１からオーバーフローした洗浄水が、サンプハウジング１００へより円滑に回収される。
【００９３】
また、サンプカバー５００の底面には、各回収穴５２０が形成された部位と各連通穴５１０が形成された部位間を遮る漏水防止部５４０がさらに提供されることが好ましい。
【００９４】
漏水防止部５４０の構造を、添付の図１０を参照して説明すると、次の通りである。
漏水防止部５４０は、上部ハウジング４１０の周縁に対応する第１漏水防止リブ５４１と、下部ハウジング４２０の周縁に対応する第２漏水防止リブ５４２と、からなる。
【００９５】
ここで、第１漏水防止リブ５４１は、上部ハウジング４１０の側壁に密着されて各メイン流路４１２，４１３とサンプリング流路４１１に沿って流動する洗浄水が漏れるのを防止する。
【００９６】
また、第２漏水防止リブ５４２は、上部洗浄水流路４１５、び下部洗浄水流路４４３と汚物チャンバー４２１に沿って流動する洗浄水が漏れるのを防止する。
【００９７】
このため、各漏水防止リブ５４１，５４２は、サンプカバー５００の底面から所定厚さと高さで突設される。図１１に示すように、サンプカバー５００に上部ハウジング４１０が結合される場合、第１漏水防止リブ５４１が上部ハウジング４１０の側壁を取り囲んだ形態となり、上部ハウジング４１０の内部を密閉するようになる。図示してはいないが、第２漏水防止リブ５４２も同様に、下部ハウジング４２０の側壁をトリ管込んだ形態となり、下部ハウジング４２０内部の汚物チャンバー４２１が密閉される。
【００９８】
次に、図８乃至図１１を参照して、本発明の第２実施例によるサンプカバー５００の構造のうち、フィルター部材５３０の様々な実施例について説明する。
【００９９】
ここで、フィルター部材５３０は、第１フィルター５３１と第２フィルター５３２とで構成される。ここで、第２フィルター５３２の網目は、第１フィルター５３１の網目に比べてその大きさが相対的に大きく形成されることが好ましい。
【０１００】
もし、サンプカバー５００に網目の大きさが相対的に小さい第１フィルター５３１のみを設置する場合、第１フィルター５３１に相対的に大きい水圧が働くためフィルター部材５３０の歪みが発生する恐れが多く、網目の大きさが相対的に大きい第２フィルター５３２のみを設置する場合、微小な異物をろ過できないという不具合がある。
【０１０１】
したがって、一部の連通穴５１０には、網目の大きさが小さい第１フィルター５３１を設置し、残りの一部の連通穴５１０には、網目の大きさが大きい第２フィルター５３２を設置することが好ましい。
【０１０２】
ここで、第１フィルター５３１と第２フィルター５３２は一体に製作されても良く、個別に製作されても良い。
【０１０３】
さらに、サンプカバー５００の各部位のうち、各連通穴５１０が形成された部位には、フィルター部材５３０を支持するフィルター支持部５５０を備えることが好ましい。
【０１０４】
フィルター支持部５５０は、各フィルター５３１，５３２が、洗浄水の流動によって加えられる水圧にて垂れるか歪むのを防止する役割を担う。
【０１０５】
このため、フィルター支持部５５０は、フィルター部材５３０の上面と下面のうち少なくともいずれか一側を支持するように構成されることが好ましい。
【０１０６】
図１２を参照すると、フィルター支持部５５０の一実施例は、フィルター部材５３０の上面を支持する少なくとも一つの上部支持リブ５５１を備えてなる。
【０１０７】
上部支持リブ５５１の数は、フィルター部材５３０の面積に基づいて適宜決定されると良い。
【０１０８】
次に、図１３を参照すると、フィルター支持部５５０の他の実施例は、フィルター部材５３０の下面を支持する少なくとも一つの下部支持リブ５５２を備えてなる。
【０１０９】
下部支持リブ５５２の数も、フィルター部材５３０の面積に基づいて適宜決定されると良い。
【０１１０】
ところが、上記のように、フィルター部材５３０の上面のみが支持されると、上部噴射アーム４１及び下部噴射アーム４２から噴射されて落下する洗浄水が、フィルター部材５３０にぶつかり、これによりフィルター部材５３０が下方に垂れるか損なわれる問題につながる恐れがある。
【０１１１】
また、フィルター部材５３０の下面のみが支持されると、汚物チャンバー４２１から排出される洗浄水の水圧によってフィルター部材５３０が上側に歪む問題につながる恐れがある。
【０１１２】
そこで、図１４に示すように、フィルター支持部５５０のさらに他の実施例は、少なくとも一つの下部支持リブ５５２と、少なくとも一つの上部支持リブ５５１とを備える構成とした。この場合、下部支持リブ５５２はフィルター部材５３０の下面を支持し、上部支持リブ５５１はフィルター部材５３０の上面を支持する。
【０１１３】
ここで、下部支持リブ５５２と上部支持リブ５５１は互いに対向して配置されても良く、下部支持リブ５５２と上部支持リブ５５１が交互に配置されても良い。
【０１１４】
上記各実施例において、フィルター支持部５５０が複数の支持リブ５５１，５５２で構成される場合、複数の支持リブ５５１，５５２は、等間隔で配置されることが好ましい。
【０１１５】
要するに、前述した本発明の第２実施例によるフィルター支持部５５０の構造によって、洗浄行程が進行される間に、各連通穴５１０に提供された各フィルター部材５３０が水圧によって垂れるか歪むことが防止される。
【０１１６】
また、前述した本発明の第２実施例によるサンプカバー５００の傾斜構造によって、汚物チャンバー４２１からオーバーフローする洗浄水は、各回収穴５２０を通じてサンプハウジング１００の凹部１１０内に円滑に回収される。
【０１１７】
一方、図１５乃至図１７は、本発明の第３実施例による食器洗い機のサンプアセンブリーを示す図である。
【０１１８】
図１５に示すように、本発明の第３実施例による食器洗い機では、異物がサンプアセンブリーの各流路に沿って流動するに先立って一次的にろ過されるようにした一連の構造が提供されている。
【０１１９】
これを、添付の図面を参照しつつより具体的に説明する。
まず、本発明の第３実施例による食器洗い機のサンプアセンブリーには、スクリーン７００がさらに設置される。
【０１２０】
図１６に示すように、スクリーン７００は、サンプハウジング１００の凹部１１０から下部ハウジング４２０に流入する洗浄水に含まれた異物を一次的にろ過する機能を担うものである。
【０１２１】
スクリーン７００は、洗浄モーター２１０の軸２１１が貫通する貫通穴７１０と、洗浄水が通過する複数の流出穴７２０が形成された板から構成される。
【０１２２】
特に、スクリーン７００は、サンプハウジング１００内の凹部１１０底面にフック１１４にて結合されることが好ましい。これは、スクリーン７００が固定されるようにするためである。すなわち、洗浄水の流動によってスクリーン７００が流動することなく、洗浄水中の異物が円滑にろ過されるようにしたものである。
【０１２３】
この場合、フック１１４は、一つ以上備えられる。各フック１１４は互いに対称に配置されることが好ましい。
【０１２４】
また、スクリーン７００は、ステンレススチールや合金鋼などの金属からなることが好ましい。これは、洗浄水の水圧によってスクリーン７００が破損するのを最小限に抑えるためである。もちろん、スクリーン７００は、一定の強度を持つプラスチックからなっても良い。
【０１２５】
図１７は、スクリーン７００とディスポーザー２３０との関係を説明するための図である。
すなわち、スクリーン７００は、洗浄モーター２１０の軸２１１上に提供され、洗浄モーター２１０に軸結合されたディスポーザー２３０は、スクリーン７００の下部に配置されることが好ましい。もちろん、ディスポーザー２３０がスクリーン７００の上部に配置されても良い。
【０１２６】
ここではディスポーザー２３０をひし形としているが、その他の多角形にしても良く、翼形や鋸歯形のブレードを持つものにしても良い。
【０１２７】
また、ディスポーザー２３０の幅Ｌ２は、スクリーン７００に形成された貫通穴７１０の直径Ｌ１によりも相対的に大きく形成されることが好ましい。これは、洗浄水に含まれた異物がスクリーン７００にろ過されず、貫通穴７１０を通って直ちに下部ハウジング４２０に排出されるのを防止するためである。
【０１２８】
もちろん、図１８に示すように、ディスポーザー２３０の幅Ｌ３が貫通穴７１０の直径Ｌ１よりも相対的に小さく形成されても良い。
【０１２９】
要するに、前述した本発明の第３実施例による一連の構造によって、洗浄水がポンプされる間にディスポーザー２３０によって細かく粉砕されるとともに、スクリーン７００によって一次的にろ過される。
【０１３０】
したがって、各メイン流路４１２，４１３を通じて各噴射アーム４１，４２に提供される洗浄水中の異物は、最小化される。
【０１３１】
また、洗浄水がサンプリング流路４１１に沿って排水チャンバー３００を経由して汚物チャンバー４２１に提供された後、サンプカバー５００の各連通穴５１０からオーバーフローする場合においても、各連通穴５１０に提供されたフィルター部材５３０を塞ぐ可能性が最小化される。これにより、フィルター部材５３０が受ける圧力は低減する。
【０１３２】
一方、図１９乃至図２１は、本発明の第４実施例による食器洗い機のサンプアセンブリーのうち、排水チャンバー３００の内部構造を示す図である。
【０１３３】
図１９乃至図２１に示すように、本発明の第４実施例による食器洗い機のサンプアセンブリーは、改善された排水チャンバー３００の内部構造を提供する。
【０１３４】
この場合、排水チャンバー３００の内部構造は、排水チャンバー３００で一次的に異物の貯留ができるようにしたものである。
【０１３５】
これを、添付の図面を参照しつつより具体的に説明する。
まず、本発明の第４実施例による排水チャンバー３００は、図１９に示すように所定の内部空間を形成するハウジング３１０を有する。
ハウジング３１０には、第１排水穴３１１と第２排水穴３１２が形成される。ここで、第１排水穴３１１は、サンプハウジング１００の凹部１１０と連通し、第２排水穴３１２は、排水ポンプ６００と連通する。
【０１３６】
また、ハウジング３１０は、開放された上部を有し、この開放された上部を通じてガイドアセンブリー４００と連通する。
【０１３７】
より詳しくは、図２０及び図２１に示すように、ハウジング３１０の上部には、ガイドアセンブリー４００と排水チャンバー３００との連通のために、第１ドレーン部４５２、第２ドレーン部４５３及び結合管４５１が連結される。これは、本発明の第１実施例で既に説明した通りである。この場合、排水チャンバー３００の内部には、第１ドレーン部４５２、第２ドレーン部４５３及び結合管４５１の安定した結合のためのリブ３３０が形成される。
【０１３８】
一方、排水チャンバー３００は、ガイドアセンブリー４００と連通する排水チャンバー３００を、サンプハウジング１００の凹部１１０と選択的に連通させるバルブ部３２０を有する。
【０１３９】
バルブ部３２０は、凹部１１０と連通する第１排水穴３１１を選択的に開放または閉鎖するように構成されたものである。ここで、バルブ部３２０は、排水チャンバー３００の内部を流動する洗浄水の圧力によって、排水チャンバー３００をサンプハウジング１００の凹部１１０と連通させる、または、排水チャンバー３００を凹部１１０から隔離させるように構成される。
【０１４０】
このため、バルブ部３２０は、いずれか一方向のみの流動を許容するチェックバルブで構成されることが好ましい。すなわち、洗浄水が凹部１１０から排水チャンバー３００に流動し始まる時のみに、洗浄水の圧力によってバルブ部３２０が第１排水穴３１１を開くようにする。
【０１４１】
本発明の実施例では、バルブ部３２０を、第１排水穴３１１を開放または閉鎖するバルブボディー３２１と、バルブボディー３２１を排水チャンバー３００に固定させる固定部３２２とで構成されるものとした。固定部３２２は、図１９に示すように、安定的に支持されるようにリブ３３０に形成されたリセス３３１にはめ込まれる。
【０１４２】
この場合、バルブボディー３２１には、第１排水穴３１１内に挿入されて第１排水穴３１１に結合される突出部３２３がさらに形成されることが好ましい。
【０１４３】
特に、バルブ部３２０は、弾性材質からなると良く、この場合、第１排水穴３１１を開放するように洗浄水の圧力によって弾性的に変形される。
【０１４４】
また、固定部３２２は、ヒンジからなると良い。この場合、バルブ部３２０は、第１排水穴３１１を開放するように洗浄水の圧力によって固定部３２２を中心として回転する。
【０１４５】
次に、上記した本発明の第４実施例によるバルブ部３２０の動作状態を、図２０及び図２１を参照して説明する。
まず、洗浄水が排水される時には排水ポンプ６００が作動する。
【０１４６】
これによって、図２１のように、排水チャンバー３００内部の洗浄水は、排水ポンプ６００が装着された方向に流動する。
【０１４７】
これと共に、排水チャンバー３００内部のバルブ部３２０は、排水ポンプ６００によって生成された吸入力と、凹部１１０から排水チャンバー３００に流動しようとする洗浄水の圧力によって、第１排水穴３１１を開放するように動作する。
【０１４８】
これにより、排水チャンバー３００は、洗浄水が排水される間に、ガイドアセンブリー４００だけでなく凹部１１０とも連通する。
その結果、排水ポンプ６００は、排水チャンバー３００を通じてガイドアセンブリー４００及び凹部１１０内の洗浄水を食器洗い機の外部に排出させることが可能になる。このときに、ガイドアセンブリー４００の汚物チャンバー４２１内に存在する異物が、排水チャンバー３００を通じて排出される過程の理解を助けるための例示図が図２２である。
【０１４９】
すなわち、排水ポンプ６００によってポンプされた洗浄水は、排水ポンプ６００を構成するニップル６４０を通じて排水ホース８０に排出される。
【０１５０】
一方、図２０に示すように、食器洗浄中に、洗浄水は、ガイドアセンブリー４００から第１ドレーン部４５２、第２ドレーン部４５３及び結合管４５１を順次通過しながら排水チャンバー３００内に続けて流入する。
【０１５１】
この時、排水チャンバー３００内のバルブ部３２０は、流入する洗浄水の圧力によって第１排水穴３１１を閉じる状態に維持される。これにより、排水チャンバー３００と凹部１１０は互いに遮断された状態となる。
【０１５２】
したがって、排水チャンバー３００は、食器が洗浄される間に、ガイドアセンブリー４００のみと連通する独立した流路を形成するようになる。このような独立した流路によって、洗浄水は、排水チャンバー３００を経由してガイドアセンブリー４００の汚物チャンバー４２１に流動する。すなわち、洗浄水は、排水ホース８０から食器洗い機の外部に排出されなく、凹部１１０にも流入しない。
【０１５３】
この時、排水チャンバー３００は、ガイドアセンブリー４００の下に位置する。したがって、洗浄水は、第１ドレーン部４５２、第２ドレーン部４５３及び結合管４５１を通じてガイドアセンブリー４００から排水チャンバー３００に向かって下方に流動する。以降、洗浄水は、結合管４５１のうち、汚物チャンバー４２１と連通する部位４５１ａを通じて上方に流動し、汚物チャンバー４２１に流動する。
【０１５４】
そして、洗浄水が前記排水チャンバー３００を経由して汚物チャンバー４２１に流動する間、洗浄水中の異物は自重によって排水チャンバー３００の底部に沈殿する。特に、排水チャンバー３００内には相対的に大きい重さを持つ（比重の大きい）異物が沈殿し、相対的に小さい重さを持つ異物は、汚物チャンバー４２１に流動する。
【０１５５】
このとき、汚物チャンバー４２１に流動した異物は、上記の第１実施例と同様に、汚物チャンバー４２１内に貯留する。
【０１５６】
要するに、排水チャンバー３００は異物を一次的に除去する役割を担い、汚物チャンバー３００の内部には相対的に比重の小さい異物だけが提供されるため、サンプカバーの各連通穴５１０に提供されるフィルター部材５３０の詰まりが最小化する。
【０１５７】
一方、前述した各実施例のように、本発明による食器洗い機は多様な実施が可能である。
【０１５８】
すなわち、本発明は、各実施例で提示された一連の構造を全て含む食器洗い機として実施しても良く、各実施例で提示された一連の構造のみを有する食器洗い機として実施しても良い。したがって、上記の実施例は、制限的なものではなく例示的なものと見なされるべきであり、添付の請求項及びその同等範囲内の全ての実施例は、本発明の範ちゅう内に含まれる。
【０１５９】
また、本発明は、食器洗い機の構造を改善することによってより効率的な洗浄水のリサイクルを可能にしたため、産業上利用可能である。
【図面の簡単な説明】
【０１６０】
【図１】本発明による食器洗い機の概略的な構成図である。
【図２】本発明の第１実施例による食器洗い機のサンプアセンブリーを示す分解斜視図である。
【図３】本発明の第１実施例による食器洗い機のサンプアセンブリーのうち、サンプハウジングと上部ハウジング及び下部ハウジングとの関係を説明するための斜視図である。
【図４】図３の“Ａ”部をより明確に示す要部斜視図である。
【図５】本発明の第１実施例による食器洗い機のサンプアセンブリーのうち、サンプハウジングと汚物チャンバーとの関係を説明するための概略図である。
【図６】本発明の第１実施例による食器洗い機のサンプアセンブリーのうち、サンプハウジングと汚物チャンバーとの関係を説明するための概略図である。
【図７】本発明の第１実施例による食器洗い機のサンプアセンブリーの洗浄時の動作過程を説明するための斜視図である。
【図８】本発明の第２実施例による食器洗い機のサンプアセンブリーのうち、サンプカバーを説明するための要部斜視図である。
【図９】図８のＩ−Ｉ線断面図である。
【図１０】図８のサンプカバーの底面斜視図である。
【図１１】サンプカバーの底面に上部ハウジングが装着された状態を説明するための底面斜視図である。
【図１２】本発明の第２実施例による食器洗い機のサンプアセンブリーのうち、フィルター支持部を説明するための概略的な要部断面図である。
【図１３】本発明の第２実施例による食器洗い機のサンプアセンブリーのうち、フィルター支持部を説明するための概略的な要部断面図である。
【図１４】本発明の第２実施例による食器洗い機のサンプアセンブリーのうち、フィルター支持部を説明するための概略的な要部断面図である。
【図１５】本発明の第３実施例による食器洗い機のサンプアセンブリーを説明するための分解斜視図である。
【図１６】本発明の第３実施例による食器洗い機のサンプアセンブリーのうち、スクリーンの装着構造を説明するための要部分解斜視図である。
【図１７】本発明の第３実施例による食器洗い機のサンプアセンブリーのうち、スクリーンとディスポーザーとの関係を説明するための状態図である。
【図１８】本発明の第３実施例による食器洗い機のサンプアセンブリーのうち、スクリーンとディスポーザーとの関係を説明するための状態図である。
【図１９】本発明の第４実施例による食器洗い機のサンプアセンブリーのうち、排水チャンバーの構造を説明するための要部分解斜視図である。
【図２０】本発明の第４実施例による食器洗い機のサンプアセンブリーのうち、排水チャンバーの内部構造を説明するための断面図である。
【図２１】本発明の第４実施例による食器洗い機のサンプアセンブリーのうち、排水チャンバーの内部構造を説明するための断面図である。
【図２２】排水過程のうち、汚物チャンバー内部の洗浄水及び異物が排出される状態を説明するための斜視図である。
【図１】
2008513092.tif 000003
【図２】
2008513092.tif 000004
【図３】
2008513092.tif 000005
【図４】
2008513092.tif 000006
【図５】
2008513092.tif 000007
【図６】
2008513092.tif 000008
【図７】
2008513092.tif 000009
【図８】
2008513092.tif 000010
【図９】
2008513092.tif 000011
【図１０】
2008513092.tif 000012
【図１１】
2008513092.tif 000013
【図１２】
2008513092.tif 000014
【図１３】
2008513092.tif 000015
【図１４】
2008513092.tif 000016
【図１５】
2008513092.tif 000017
【図１６】
2008513092.tif 000018
【図１７】
2008513092.tif 000019
【図１８】
2008513092.tif 000020
【図１９】
2008513092.tif 000021
【図２０】
2008513092.tif 000022
【図２１】
2008513092.tif 000023
【図２２】
2008513092.tif 000024
【国際調査報告】
2008513092.tif 000025
2008513092.tif 000026